(57)【要約】【課題】大気圏を構成する対流圏、成層圏、中間圏、及び熱圏の４つを表現することのできる新規な地球儀を提供する。【解決手段】地球を模した球状の地球儀本体１と、大気圏を示す外装カバー４とを備える地球儀である。外装カバー４は、地球儀本体１を覆う透明な球体であって、最内層をなす第１カバー４１と、第１カバーを覆う第２カバー４２と、第２カバーを覆う第３カバー４３と、第３カバーを覆う第４カバー４４との４重構造である。地球儀本体１の直径に対し、第１カバー４１の直径が１．０００９４〜１．００２９倍、第２カバー４２の直径が１．００３〜１．００７９倍、第３カバー４３の直径が１．００９〜１．０１４倍、第４カバー４４の直径が１．０１５〜１．０８倍であり、それらカバー４１，４２，４３，４４には、それぞれ「対流圏」、「成層圏」、「中間圏」、「熱圏」の文字が記されている。【選択図】図４
0003159454.tif 000002
【実用新案登録請求の範囲】
【請求項１】
地球を模した球状の地球儀本体と、大気圏を示す外装カバーとを備え、
前記外装カバーは、前記地球儀本体を覆う透明な球体であって、最内層をなす第１カバーと、その第１カバーを覆う第２カバーと、その第２カバーを覆う第３カバーと、その第３カバーを覆う第４カバーとの４重構造であることを特徴とする地球儀。
【請求項２】
前記地球儀本体の直径に対し、前記第１カバーの直径が１．０００９４〜１．００２９倍、前記第２カバーの直径が１．００３〜１．００７９倍、前記第３カバーの直径が１．００９〜１．０１４倍、前記第４カバーの直径が１．０１５〜１．０８倍であることを特徴とする請求項１記載の地球儀。
【請求項３】
前記第１カバーに「対流圏」の文字が記され、前記第２カバーに「成層圏」の文字が記され、前記第３カバーに「中間圏」の文字が記され、前記第４カバーに「熱圏」の文字が記されていることを特徴とする請求項１、又は２記載の地球儀。
【請求項４】
前記第１カバーに、雲と飛行機との少なくとも一方を表す図柄が記されていることを特徴とする請求項１〜３のいずれか１項に記載の地球儀。
【請求項５】
前記第３カバーに、流星と夜光雲との少なくとも一方を表す図柄が記されていることを特徴とする請求項１〜４のいずれか１項に記載の地球儀。
【請求項６】
前記第４カバーに、オーロラと人工衛星との少なくとも一方を表す図柄が記されていることを特徴とする請求項１〜５のいずれか１項に記載の地球儀。
【請求項７】
前記外装カバーの部位がドア部として開閉可能とされ、前記ドア部を開放したときに当該ドア部により閉じられていた開口部分において前記第１〜第４カバーの各断面を外部から視認可能とされていることを特徴とする請求項１〜６のいずれか１項に記載の地球儀。
【考案の詳細な説明】
【技術分野】
【０００１】
本考案は地球儀に係わり、特に地球を模した球状の地球儀本体の外周に大気圏をあらわした地球儀に関する。
【背景技術】
【０００２】
地球は太陽系に属する第３惑星で、赤道半径６３７８ｋｍ、極半径６３５７ｋｍの回転楕円体であり、その表面は大気により覆われている。地球を覆う大気圏は、下から順に対流圏、成層圏、中間圏、熱圏に分類され、その上には外気圏が数万ｋｍまで広がり、その外側が宇宙空間となっている。
【０００３】
大気圏を構成する対流圏は、地表から圏界面（赤道上１７〜１８ｋｍ）までの領域であり、当該対流圏では日射により対流が生じ、高低気圧、雲の消長などの気象現象が見られる。又、成層圏は対流圏の上に位置する上限約５０ｋｍの大気圏であり、ここには紫外線を吸収するオゾン層が存在している。この成層圏の上方に位置する高度約５０〜９０ｋｍの範囲が中間圏で、この中間圏では流星や夜光雲が現れる。更に、熱圏は高度約９０〜５００ｋｍの範囲であり、ここでの大気は極希薄で、一部の分子は電離し、オーロラが起こる。
【０００４】
ここに、地球を模した地球儀として、表面に海陸や経緯度などを描いた硬質の球体を地球儀本体とし、その地球儀本体を保持具により回転自在に保持すると共に、その回転軸を２３．５度傾けた構造のものが従来から一般によく知られているが、その種の地球儀では陸地の形や各国の位置関係などを視認できるにすぎない。
【０００５】
そこで、地球を模した浮遊可能な風船タイプの球体を外郭球体内に収容すると共に、その両球体の間にヘリウムガスその他の流体を充填するという大気カプセル地球儀なるものが提案されている（例えば、特許文献１）。
【先行技術文献】
【特許文献】
【０００６】
【特許文献１】特開２００４−３２５７６７号公報
【考案の概要】
【考案が解決しようとする課題】
【０００７】
しかしながら、特許文献１に開示される地球儀によれば、地球を模した球体と当該球体を覆う外郭球体との間に煙などを入れて雲のように見せることはできても、外郭球体それ自体は単層の中空球体であるから、その外郭球体によって対流圏、成層圏、中間圏、及び熱圏に分けられる大気圏を表現することはできない。
【０００８】
本考案は以上のような事情に鑑みて成されたものであり、その目的は大気圏を構成する対流圏、成層圏、中間圏、及び熱圏の４つを表現することのできる新規な地球儀を提供することにある。
【課題を解決するための手段】
【０００９】
上記目的を達成するため、本考案に係る地球儀は、
地球を模した球状の地球儀本体と、大気圏を示す外装カバーとを備え、
前記外装カバーは、前記地球儀本体を覆う透明な球体であって、最内層をなす第１カバーと、その第１カバーを覆う第２カバーと、その第２カバーを覆う第３カバーと、その第３カバーを覆う第４カバーとの４重構造であることを特徴とする。
【００１０】
加えて、本考案に係る地球儀は、前記地球儀本体の直径に対し、前記第１カバーの直径が１．０００９４〜１．００２９倍、前記第２カバーの直径が１．００３〜１．００７９倍、前記第３カバーの直径が１．００９〜１．０１４倍、前記第４カバーの直径が１．０１５〜１．０８倍であることを特徴とする。
【００１１】
又、前記第１カバーに「対流圏」の文字が記され、前記第２カバーに「成層圏」の文字が記され、前記第３カバーに「中間圏」の文字が記され、前記第４カバーに「熱圏」の文字が記されていることを特徴とする。
【００１２】
更に、前記第１カバーに、雲と飛行機との少なくとも一方を表す図柄が記され、前記第３カバーに、流星と夜光雲との少なくとも一方を表す図柄が記され、前記第４カバーには、オーロラと人工衛星との少なくとも一方を表す図柄が記されていることを特徴とする。
【００１３】
又、前記外装カバーの部位がドア部として開閉可能とされ、前記ドア部を開放したときに当該ドア部により閉じられていた開口部分において前記第１〜第４カバーの各断面を外部から視認可能とされていることを特徴とする。
【考案の効果】
【００１４】
本考案に係る地球儀によれば、地球を模した球状の地球儀本体と、大気圏を示す４重構造の球体からなる外装カバーとを備えることから、その外装カバーにより大気圏を構成する対流圏、成層圏、中間圏、及び熱圏を表現することができる。しかも、外装カバーが透明であることから、これを透して地球儀本体の表面を視認することができる。
【００１５】
加えて、地球儀本体の直径に対し、第１カバーの直径が１．０００９４〜１．００２９倍、第２カバーの直径が１．００３〜１．００７９倍、第３カバーの直径が１．００９〜１．０１４倍、第４カバーの直径が１．０１５〜１．０８倍とされていることから、地球儀本体に対する各カバーの大きさを、現実の対流圏、成層圏、中間圏、及び熱圏の縮尺としてあらわすことができる。
【００１６】
又、第１〜第４カバーに、それぞれ「対流圏」、「成層圏」、「中間圏」、「熱圏」の文字が記されていることから、それらカバーが何をあらわしたものであるかを容易に知ることができる。
【００１７】
更に、第１カバーに、雲と飛行機との少なくとも一方を表す図柄が記されているものでは、対流圏で雲が形成されたり、飛行機が対流圏を飛行したりすることを認識できる。
【００１８】
又、第３カバーに、流星と夜光雲との少なくとも一方を表す図柄が記されているものでは、中間圏に流星や夜光雲が現れることを認識できる。
【００１９】
又、第４カバーに、オーロラと人工衛星との少なくとも一方を表す図柄が記されているものでは、熱圏においてオーロラが起ったり、スペースシャトルなどの人工衛星が周回していたりしていることを認識することができる。
【００２０】
更に、外装カバーの部位がドア部として開閉可能とされ、そのドア部を開放したときに当該ドア部により閉じられていた開口部分において第１〜第４カバーの各断面を外部から視認可能とされている態様では、大気圏を構成する対流圏、成層圏、中間圏、及び熱圏が地球に対してどれ程の層厚を有しているかを実感することができる。
【図面の簡単な説明】
【００２１】
【図１】本考案に係る地球儀を示す側面概略図
【図２】本考案に係る地球儀を示す正面概略図
【図３】外装カバーのドア部を開放した状態を示す説明図
【図４】外装カバーの開口部分を示す正面図
【図５】外装カバーを部分的に拡大して示した部分拡大断面図
【図６】外装カバーを構成する第１〜第４カバーの一部を示す概略図
【考案を実施するための形態】
【００２２】
以下、図面に基づいて本考案に係る地球儀の実施形態を詳しく説明する。先ず、図１および図２において、１は地球を模した地球儀本体、２は地球儀本体を回転自在に保持している保持具である。
【００２３】
地球儀本体１は、合成樹脂などから形成される硬質定形の球体であり、その直径は例えば実物としての地球の１千万分の１に相当する１２７．５６ｃｍとされ、その表面には海陸や経緯度が描かれている。
【００２４】
一方、保持具２は、合成樹脂などから形成される円形の台座２１と、この台座２１上に垂直に立てられる支柱２２と、この支柱２２の上端に一体として連なる半円弧状のブラケット２３とにより構成されている。
【００２５】
そして、地球儀本体１から上下方向に突出する軸部３がブラケット２３の両端に枢支されている。つまり、地球儀本体１は、その上下両極に突設される軸部３を介して半円弧状のブラケット２３で回転自在に保持されている。尚、軸部３は支柱２２に対して２３．５度傾いている。
【００２６】
特に、本考案に係る地球儀によれば、地球儀本体１が大気圏を示す外装カバー４により覆われる構成とされている。係る外装カバー４は、地球儀本体１を外部から視認することのできる透明な球体であり、その成形材料にはアクリル樹脂、ポリスチレン、あるいはポリエチレンテレフタレートなどの透明で硬質な合成樹脂が用いられる。尚、外装カバー４をガラスにより形成することもできるが、ガラス製の外装カバー４では、落下時に破片が飛散するなどして危険を伴うので、ガラスを用いる場合には安全性の観点から繊維強化ガラスとすることが好ましい。
【００２７】
又、外装カバー４の部位は、開口部分ｈに合致する開閉自在なドア部４Ａとされ、そのドア部４Ａにより開口部分ｈが開閉可能とされている。図１〜図４から明らかなように、ドア部４Ａの下端にはその開閉操作時に摘む突片５が形成され、ドア部４Ａの上端と当該ドア部４Ａに近接する外装カバー４の上部はヒンジ６により結合されており、そのヒンジ６を中心にドア部４Ａが上方旋回して開放するようになっている。
【００２８】
このように、ドア部４Ａが上方旋回して開放する構成であれば、ドア部４Ａが不用意に開放してしまうことを防止できるので好ましいが、本考案はこれに限らず、ドア部４Ａが左右方向に開閉する構成としてもよく、この場合でもドア部４Ａが不用意に開放してしまうことを防止できる。
【００２９】
又、図示例において、ドア部４Ａは外装カバー４の表面積の１／８程度の大きさとされているが、ドア部４Ａを外装カバー４の半分程度の大きさとすることもできる。
【００３０】
尚、ヒンジ６や突片５は、地球儀本体１の視認性を損なわぬよう、外装カバー４と同じ透明材料により形成されている。
【００３１】
次に、図４〜図６により外装カバー４の構成をより詳しく説明すると、係る外装カバー４は最内層をなす第１カバー４１、その第１カバーを覆う第２カバー４２、その第２カバーを覆う第３カバー４３、及び第３カバーを覆う第４カバー４４からなる４重構造とされている。
【００３２】
第１カバー４１は、大気圏を構成する対流圏をあらわすものであり、その直径（外径）は地球儀本体１の縮尺率と同じで、地球儀本体１の直径の１．０００９４〜１．００２９倍とされている。
【００３３】
第２カバー４２は、大気圏を構成する成層圏をあらわすものであり、その直径（外径）は地球儀本体１の縮尺率と同じで、地球儀本体１の直径の１．００３〜１．００７９倍とされている。
【００３４】
第３カバー４３は、大気圏を構成する中間圏をあらわすものであり、その直径（外径）は地球儀本体１の縮尺率と同じで、地球儀本体１の直径の１．００９〜１．０１４倍とされている。
【００３５】
第４カバー４４は、大気圏を構成する熱圏をあらわすものであり、その直径（外径）は地球儀本体１の縮尺率と同じで、地球儀本体１の直径の１．０１５〜１．０８倍とされている。
【００３６】
尚、それらカバー４１，４２，４３，４４は、それぞれ軸部３に対して固定され、地球儀本体１と一体として回転する。又、各カバー４１，４２，４３，４４は透明合成樹脂の半球体を結合してなり、それらの同じ位置が開口部分ｈとして切り欠かれ、それらの開口部分ｈがドア部４Ａにより開閉されるようになっている。但し、ドア部４Ａは最外層をなす第４カバー４４の開口部分ｈにのみ嵌り込む透明な単層板とされている。
【００３７】
そして、本考案に係る地球儀によれば、ドア部４Ａを開放したとき、図４のように当該ドア部４Ａにより閉じられていた開口部分ｈにおいて第１〜第４カバー４１，４２，４３，４４の各断面を外部から視認することができる。このため、大気圏を構成する対流圏、成層圏、中間圏、及び熱圏が地球に対してどれ程の層厚を有しているかを実感することができる。
【００３８】
又、図６から明らかなように、第１カバー４１には「対流圏」の文字が記され、第２カバー４２には「成層圏」の文字が記され、第３カバー４３には「中間圏」の文字が記され、第４カバー４４には「熱圏」の文字が記されている。このため、それらカバー４１，４２，４３，４４が何をあらわしたものであるかを知らしめることができる。尚、それら文字は各カバー４１，４２，４３，４４の各々重なり合わない位置に記され、それらを外部から明確に確認できるよう工夫されている。
【００３９】
加えて、本例では、第１カバー４１に飛行機を表す図柄４１ａが記され、第３カバー４３に流星を表す図柄４３ａが記され、第４カバー４４にはオーロラと人工衛星を表す図柄４４ａ，４４ｂが記されている。このため、本例の地球儀によれば、飛行機が対流圏を飛行し、中間圏には流星が現れ、熱圏ではオーロラが起ったり、スペースシャトルなどの人工衛星が周回していたりしていることを認識することができる。
【００４０】
尚、第１カバー４１に雲を表す図柄を記したり、第３カバー４３に夜光雲を表す図柄を記したりしてもよいが、それら図柄４１ａ，４３ａ，４４ａ，４４ｂも各カバー４１，４２，４３，４４において各々重なり合わない位置に記すことが好ましく、これにより各カバー４１，４２，４３，４４に記した図柄４１ａ，４３ａ，４４ａ，４４ｂを外部から明確に確認することができる。
【００４１】
以上、本考案に係る地球儀の実施形態を説明したが、外装カバー４を構成する各カバー４１，４２，４３，４４には、上記のような文字や図柄のほか、対流圏、成層圏、中間圏、及び熱圏の高度や性状の説明文などを記すようにしてもよい。例えば、熱圏をあらわす第４カバー４４に、その高度として「９０〜５００ｋｍ」、説明文として「熱圏では高度と共に温度が上昇する」と記すなどしてもよい。
【００４２】
又、地球儀本体１を回転自在に保持する保持具２は、図示するような半円弧状のブラケット２３を有する構成に限らず、地球儀本体１を貫通する直立軸により地球儀本体１を回転自在に保持するようにしたり、あるいは地球儀本体１を紐やワイヤーといった線状部材で宙吊りにする構成としたりしてもよい。
【符号の説明】
【００４３】
１  地球儀本体
２  保持具
２１  台座
２２  支柱
２３  ブラケット
３  軸部
４  外装カバー
４Ａ  ドア部
ｈ  開口部分
４１  第１カバー
４１ａ  図柄
４２  第２カバー
４３  第３カバー
４３ａ  図柄
４４  第４カバー
４４ａ，４４ｂ  図柄
５  突片
６  ヒンジ
【図１】
0003159454.tif 000003
【図２】
0003159454.tif 000004
【図３】
0003159454.tif 000005
【図４】
0003159454.tif 000006
【図５】
0003159454.tif 000007
【図６】
0003159454.tif 000008